(57)【要約】【課題】ユーザの個別的な要求に応じて情報の提供をネットワークを介して行うためのシステム、そのための方法および該方法を実行させるためのコンピュータ実行可能なプログラムを提供する。【解決手段】本発明のサーバ３は、端末手段２の要求に応答して、ネットワーク１を介して端末手段２に対して所定の情報および所定の情報に対する検索条件などを表示させる手段と、端末手段２により入力検索条件などを受信し、サーバ３が保持する詳細情報テーブルを参照して、該当提供情報を選別する手段であり、選別した提供情報は、端末手段へと送信され、ユーザ入力とインタラクティブに表示することを特徴とする。【選択図】図１
2008165668.tif 000002
【特許請求の範囲】
【請求項１】
ネットワークに接続され、かつ提供情報と、前記提供情報に対応して格納され、かつ数値化された所定の情報を記憶したデータベースが接続されたサーバと、前記サーバに前記ネットワークを介して接続され、前記サーバに対して所定の情報に対する選択表示項目を送信して選択表示項目に基づき並べ替えされた提供情報の要求を行う端末手段とを含むグラフィカル多軸検索・比較システムにおいて使用される、グラフィカル多軸検索を提供するグラフィカル多軸検索・比較システムであって、
前記サーバは、前記端末手段の要求に応答して、前記端末手段に対して前記所定の情報および前記所定の情報に対する検索項目を表示させるグラフィカル多軸検索項目一覧を表示させる手段と、
前記端末手段の要求に応答して、前記端末手段に対して前記所定の情報および前記所定の情報に対する表示項目を表示させる表示項目一覧を表示させる手段と、
前記端末手段により前記グラフィカル多軸検索項目一覧を介して選択された検索項目を受信し、前記サーバが保持するテーブルを参照して提供情報データを取得して、前記端末手段により表示項目一覧を介して取得された表示項目に基づきインタラクティブに提供情報をソートして表形式で表示する手段と、
該取得した提供情報データを、前記端末手段へと送信して表形式で表示された項目を自由に移動可能とし、インタラクティブに提供情報のソート結果を変更表示する手段と、を含む、
グラフィカル多軸検索・比較システム。
【請求項２】
ネットワークに接続され、かつ提供情報と、前記提供情報に対応して格納され、かつ数値化された所定の情報を記憶したデータベースが接続されたサーバと、前記サーバに前記ネットワークを介して接続され、前記サーバに対して所定の情報に対する選択表示項目を送信して選択表示項目に基づき並べ替えされた提供情報の要求を行う端末手段とを含むグラフィカル多軸検索・比較システムにおいて使用される、グラフィカル・ユーザ・インタフェースを提供させるための方法であって、
前記方法は、前記端末手段の要求に応答して、前記端末手段に対して前記所定の情報および前記所定の情報に対する検索項目を表示させるグラフィカル多軸検索項目一覧を表示させるステップと、
前記端末手段の要求に応答して、前記端末手段に対して前記所定の情報および前記所定の情報に対する表示項目を表示させる表示項目一覧を表示させるステップと、
前記端末手段により前記グラフィカル多軸検索項目一覧を介して選択された検索項目を受信し、前記サーバが保持するテーブルを参照して提供情報データを取得して、前記端末手段により表示項目一覧を介して取得された表示項目に基づきインタラクティブに提供情報をソートして表形式で表示するステップと、
該取得した提供情報データを、前記端末手段へと送信して表形式で表示された項目を自由に移動可能とし、インタラクティブに提供情報のソート結果を変更表示するステップと、を含む、
グラフィカル多軸検索提供方法。
【請求項３】
ネットワークに接続され、かつ提供情報と、前記提供情報に対応して格納され、かつ数値化された所定の情報を記憶したデータベースが接続されたサーバと、前記サーバに前記ネットワークを介して接続され、前記サーバに対して所定の情報に対する選択表示項目を送信して選択表示項目に基づき並べ替えされた提供情報の要求を行う端末手段とを含むグラフィカル多軸検索・比較システムにおいて使用される、グラフィカル多軸検索を提供させるためのコンピュータ実行可能なプログラムであって、
前記プログラムは、前記端末手段の要求に応答して、前記端末手段に対して前記所定の情報および前記所定の情報に対する検索項目を表示させるグラフィカル多軸検索項目一覧を表示させるステップと、
前記端末手段の要求に応答して、前記端末手段に対して前記所定の情報および前記所定の情報に対する表示項目を表示させる表示項目一覧を表示させるステップと、
前記端末手段により前記グラフィカル多軸検索項目一覧を介して選択された検索項目を受信し、前記サーバが保持するテーブルを参照して提供情報データを取得して、前記端末手段により表示項目一覧を介して取得された表示項目に基づきインタラクティブに提供情報をソートして表形式で表示するステップと、
該取得した提供情報データを、前記端末手段へと送信して表形式で表示された項目を自由に移動可能とし、インタラクティブに提供情報のソート結果を変更表示するステップと、を実行させるプログラム。
【発明の詳細な説明】
【技術分野】
【０００１】  本発明は、ユーザの個別的な要求に応じて情報の提供をネットワークを介して行うためのシステム、そのための方法および該方法を実行させるためのコンピュータ実行可能なプログラムに関するものである。
【背景技術】
【０００２】  従来、各種の情報を得ようとする者は、情報サービス機関に電話で問い合わせたり、インターネットを利用したり、また本や雑誌を利用するなどして必要な情報を収集している。例えば、各種研修を社員研修として受講させたい企業、または受講しようとする者などは、数多く存在する研修の主催団体へ直接問い合わせたり、インターネットや雑誌などから自分の受講したい研修を探し出し、申し込み後、受講したりしている。また、不動産や保険、旅行、家電製品といった商品や、病院、学校、映画といった多種の情報を含むサービスについても、自分の欲しい情報を得るためには上述したように、インターネットや雑誌などを利用して情報を収集し、物品の購入を行ったり、サービスを利用したりしている。【０００３】  ここで、具体的に従来の情報の提供として、インターネット研修を受講する場合について考察する。インターネット研修受講において、インターネット研修を受講しようとするものは、研修開催団体などに依頼し、受講しようとする者が指定する研修や研修開催団体などが推薦する研修を受講している。しかしながら、研修開催団体も多数あり、一口にインターネット研修といってもきわめて種類が多く、また、レベルなども幅広いため、受講研修を決定することが極めて困難になっている。また、その決定には多大な時間および労力が必要となる。【０００４】  同様に不動産や保険、旅行、家電製品といった商品や、病院、学校、映画といった多種の情報を含むサービスなどについてもその種類が多く、不動産などに関してみると、通常それほど関連しないことも多い個人についてみれば、情報を必要とする個人はこれらを選択し、購入や利用を行うための判断を行うことが情報量の飛躍的な増大に伴って難しくなっている。また、インターネットを使用して情報を検索する場合、キーワードを入力することでユーザにとって必要な情報を特定していくことができるが、キーワードから特定した情報が多い場合、その判断を行うために多大な時間と労力が必要とされることになる。加えて要求した情報に当該する情報がないといった無駄が発生する場合もある。【０００５】  加えて、研修などについては、当該個人に対して情報を得たい項目を効率よく提示し、選択を促すようにされていることが好ましい。このため、これまで効率よく、かつ情報の提供を受けたものの満足度も高い情報の提供を行うことが必要とされていた。
【発明の開示】
【０００６】  本発明によれば、研修、不動産や保険、旅行、家電製品、病院、学校、映画といった判断材料の多いものの選択判断のための時間を短縮することを可能とすることにより、それぞれの情報に対応する種々の要因を考慮して、選択しようとする者が個々の状況に応じ個別にカスタマイズされた情報をインタラクティブに得ることを可能とする、グラフィカル多軸検索・比較システム、情報提供方法および該情報提供方法を実行させるためのプログラムが記録された記憶媒体を提供することができる。
【発明が解決しようとする課題】
【０００７】  本発明は、上記問題点に鑑みてなされたものであり、本発明は、研修の内容などの比較検討を自動的に行うことを可能とすることにより、判断のための時間を短縮することを可能とし、研修の内容などを選択するための種々の要因を考慮して、研修を社員研修として受講させたい企業、または受講しようとする者などが個々の状況に応じ個別にカスタマイズされた研修情報をインタラクティブに得ることを可能とする、グラフィカル多軸検索・比較システム、情報提供方法、および該方法を実行させるためのコンピュータ可読な記録媒体を提供することを目的とする。
【０００８】  また、本発明は、所定の情報と、重要視する所定の情報に対して選択された検索項目とに基づいて、自動的に不動産や保険、旅行、家電製品、病院、学校、映画などの比較検討を行うことを容易に可能とすることにより、判断のための時間を短縮することを可能とし、また比較検討された不動産や映画などの情報をインタラクティブに提供するためのグラフィカル多軸検索・比較システム、情報提供方法および該方法を実行させるためのコンピュータ実行可能なプログラムを提供することを目的とする。
【課題を解決するための手段】
【０００９】  すなわち、本発明によれば、ネットワークに接続され、かつ提供情報と、前記提供情報に対応して格納され、かつ数値化された所定の情報を記憶したデータベースが接続されたサーバと、前記サーバに前記ネットワークを介して接続され、前記サーバに対して所定の情報に対する選択表示項目を送信して選択表示項目に基づき並べ替えされた提供情報の要求を行う端末手段とを含むグラフィカル多軸検索・比較システムにおいて使用される、グラフィカル多軸検索を提供するグラフィカル多軸検索・比較システムであって、
前記サーバは、前記端末手段の要求に応答して、前記端末手段に対して前記所定の情報および前記所定の情報に対する検索項目を表示させるグラフィカル多軸検索項目一覧を表示させる手段と、
前記端末手段の要求に応答して、前記端末手段に対して前記所定の情報および前記所定の情報に対する表示項目を表示させる表示項目一覧を表示させる手段と、
前記端末手段により前記グラフィカル多軸検索項目一覧を介して選択された検索項目を受信し、前記サーバが保持するテーブルを参照して提供情報データを取得して、前記端末手段により表示項目一覧を介して取得された表示項目に基づきインタラクティブに提供情報をソートして表形式で表示する手段と、
該取得した提供情報データを、前記端末手段へと送信して表形式で表示された項目を自由に移動可能とし、インタラクティブに提供情報のソート結果を変更表示する手段と、を含む、
グラフィカル多軸検索・比較システムが提供される。
【００１０】  ネットワークに接続され、かつ提供情報と、前記提供情報に対応して格納され、かつ数値化された所定の情報を記憶したデータベースが接続されたサーバと、前記サーバに前記ネットワークを介して接続され、前記サーバに対して所定の情報に対する選択表示項目を送信して選択表示項目に基づき並べ替えされた提供情報の要求を行う端末手段とを含むグラフィカル多軸検索・比較システムにおいて使用される、グラフィカル・ユーザ・インタフェースを提供させるための方法であって、
前記方法は、前記端末手段の要求に応答して、前記端末手段に対して前記所定の情報および前記所定の情報に対する検索項目を表示させるグラフィカル多軸検索項目一覧を表示させるステップと、
前記端末手段の要求に応答して、前記端末手段に対して前記所定の情報および前記所定の情報に対する表示項目を表示させる表示項目一覧を表示させるステップと、
前記端末手段により前記グラフィカル多軸検索項目一覧を介して選択された検索項目を受信し、前記サーバが保持するテーブルを参照して提供情報データを取得して、前記端末手段により表示項目一覧を介して取得された表示項目に基づきインタラクティブに提供情報をソートして表形式で表示するステップと、
該取得した提供情報データを、前記端末手段へと送信して表形式で表示された項目を自由に移動可能とし、インタラクティブに提供情報のソート結果を変更表示するステップと、を含む、
グラフィカル多軸検索提供方法が提供される。
【００１１】  ネットワークに接続され、かつ提供情報と、前記提供情報に対応して格納され、かつ数値化された所定の情報を記憶したデータベースが接続されたサーバと、前記サーバに前記ネットワークを介して接続され、前記サーバに対して所定の情報に対する選択表示項目を送信して選択表示項目に基づき並べ替えされた提供情報の要求を行う端末手段とを含むグラフィカル多軸検索・比較システムにおいて使用される、グラフィカル多軸検索を提供させるためのコンピュータ実行可能なプログラムであって、
前記プログラムは、前記端末手段の要求に応答して、前記端末手段に対して前記所定の情報および前記所定の情報に対する検索項目を表示させるグラフィカル多軸検索項目一覧を表示させるステップと、
前記端末手段の要求に応答して、前記端末手段に対して前記所定の情報および前記所定の情報に対する表示項目を表示させる表示項目一覧を表示させるステップと、
前記端末手段により前記グラフィカル多軸検索項目一覧を介して選択された検索項目を受信し、前記サーバが保持するテーブルを参照して提供情報データを取得して、前記端末手段により表示項目一覧を介して取得された表示項目に基づきインタラクティブに提供情報をソートして表形式で表示するステップと、
該取得した提供情報データを、前記端末手段へと送信して表形式で表示された項目を自由に移動可能とし、インタラクティブに提供情報のソート結果を変更表示するステップと、を実行させるプログラムが提供される。
【発明の効果】
【００１２】  本発明によれば、研修などの比較検討、不動産や保険、旅行、家電製品、病院、学校、映画などの選択判断のための時間を短縮することを可能とすることにより、それぞれの情報に対応する種々の要因を考慮して、受講しようとする者あるいは選択しようとする者が個々の状況に応じ個別にカスタマイズされた情報をインタラクティブに得ることを可能とする、グラフィカル多軸検索・比較システム、情報提供方法および該情報提供方法を実行させるためのプログラムが記録された記憶媒体を提供することができる。
【発明を実施するための最良の形態】
【００１３】  以下本発明を、図面をもってする実施例の記載に基づいて詳細に説明するが、本発明は図面に示された実施例に限定されるものではない。【００１４】  図１は、本発明のグラフィカル多軸検索・比較システムの概略を示した図である。本発明のグラフィカル多軸検索・比較システムは、ネットワーク１を通して接続された複数の端末手段２と、端末手段２からネットワーク１を介して送信される要求を受信し、情報をソートして提供するためのサーバ３とから構成されている。【００１５】  端末手段２は、例えば研修に関連する情報の場合には、研修を社員研修として受講させたい企業、または受講しようとする者など、すなわちユーザの自宅、会社などに配置されていて、ネットワーク１を介してサーバ３にアクセスできるようにされている。この端末手段２は、情報の提供を要求するための信号を、適切なブラウザ・ソフトウエアを介してサーバ３へと送信する。また、この端末手段２は、受講研修選択のために必要な情報を、ユーザが入力する所定の情報に対して適用される比較項目及び表示項目をサーバ３へと送信するようにされている。【００１６】  本発明におけるネットワーク１は、いわゆるインターネットを挙げることができるが、これ以外にも光通信、ＬＡＮ／ＷＡＮといった適切な通信プロトコルを用いる通信により遠隔的に情報を送受信することができるものであれば、いかなるネットワークでも用いることができる。この通信に用いることができる通信プロトコルとしては、例えばＴＣＰ／ＩＰといった通信プロトコルを用いることができるが、これに限定されるわけではない。【００１７】  このようにして送信された研修情報に対する要求は、サーバ３に受信され、サーバ３は、サーバ３内の記憶手段４に記憶された所定の情報および表示項目を用いて、研修情報のソートを行う。記憶手段４には、研修情報に関連して目安価格といった表示項目でのソートを行うために必要とされる研修内容データが記憶されている。本発明においては、上述したデータから後述するソートを行うために直接用いるデータを生成して、記憶手段４に記憶されたデータベースに保持させている。【００１８】  また、本発明において研修、不動産や保険、旅行、家電製品、病院、学校、映画などの比較検討、選択判断を提供する場合には、サーバ３は、所定の情報およびソートを用いて、サーバ３内の記憶手段４に記憶された会社、開催地、価格、人気といった項目についてのソートを行う。このソートは、本発明においては情報の要求を行う者、すなわちユーザがソート項目を選択することができ、ソートされた所定の情報を重視してランク付けすることが可能となっている。所定の情報とランク付けとから得られる会社、開催地、価格、人気といった項目についてのソートされた情報は、要求を行った端末手段２へと送信され、ユーザがそのランク付けに基づいて選択できるようになっている。また、ランク付けされた研修、学校、病院といった項目を選択することによって、その研修開催会場、学校、病院までの地図といった位置に関連する情報や電話番号、詳細情報などが表示されるようになっている。さらには、直接研修などへの参加申し込みも可能となっている。【００１９】  上述したソー���は、種々の方法により行うことができるが、本発明においてはユーザがソート項目を選択することにより、研修情報を得る場合には人気、価格、開催地といった状況に合わせてカスタマイズすることが可能とされている。所定の情報とソートとから得られる研修のランク付けは、要求を行った端末手段２へと送信されて、端末手段２の表示画面へとインタラクティブに表示変更され研修情報の要求を行った者がそのランク付けに基づいて受講研修を決定できるようにさせている。【００２０】  図２は、本発明において用いられる端末手段２を詳細に示した図である。図２に示したパーソナル・コンピュータ、ワークステーションとしては、ＰＥＮＴＩＵＭ（登録商標）：インテル社といったＣＰＵ、またはこれと互換性のあるＣＰＵを搭載することが可能で、ＷＩＮＤＯＷＳ（登録商標）：マイクロソフト・コーポレーション、ＷＩＮＤＯＷＳ（登録商標）ＮＴ：マイクロソフト・コーポレーション、ＯＳ／２（登録商標）：インターナショナル・ビジネス・マシーンズ・コーポレーション、ＡＩＸ（登録商標）：インターナショナル・ビジネス・マシーンズ・コーポレーション、ユニックス、リナックスといったオペレイティング・システムを動作させることが可能なパーソナル・コンピュータ、ワークステーションを挙げることができるが、これらのものに限定されるわけではない。【００２１】  また、本発明においては、サーバ３についても上述した端末手段２と同様のパーソナル・コンピュータ、ワークステーション、または汎用大型コンピュータを用いることができる。端末手段２は、適切なブラウザ・ソフトウエアがインストールされており、サーバ３と、いわゆるインターネットといったネットワーク１を介して通信できるようにされている。【００２２】  以下本発明を、情報を提供するために使用する特定の実施の形態をもって説明する。
図３は、本発明の比較情報提供方法を用いて研修情報の提供を行う場合のフローチャートである。本発明の比較情報提供方法において研修情報を提供するプロセスは、適切なブラウザ・ソフトウエアを介して端末手段２のディスプレイ・スクリーン上に、本発明の研修情報提供方法の開始を端末手段に示すためのトップページを表示させる（１００）。前述のトップページには、図５に示す検索条件パネルフィールド８に検索条件パネル（１１０）、図５に示す表示項目選択肢フィールド９に表示項目選択肢（１２０）、図５に示す当該データ表示フィールド１０に比較・検索条件初期値に当該する詳細データ（１３０）を表示する。ついで端末手段２は、検索条件の選択もしくは表示項目の選択、表示順序変更指定などを入力する。前述において入力された情報は、端末手段２から、サーバ３へと送信され、この情報を受信したサーバ３は、入力された情報が検索条件の選択、表示項目の選択、表示順序変更指定のいずれかを判断する（１４０）。【００２３】  サーバ３は、前述の端末手段２から入力されたデータ（１４０）が検索条件の選択であれば、前述の端末手段２から入力されたデータをもとにサーバ３内の記憶手段４に記憶された検索条件情報５を変更後、サーバ３内の記憶手段４に記憶された詳細情報７から、現在の検索条件情報５、表示項目情報６により選別し、当該詳細情報を１ページに付き１００件まで図５に示す当該データ表示フィールド１０にインタラクティブに表示する（Ｓ１）。【００２４】  サーバ３は、前述の端末手段２から入力されたデータ（１４０）が表示項目の選択であれば、前述の端末手段２から入力されたデータをもとにサーバ３内の記憶手段４に記憶された表示項目情報６を変更後、サーバ３内の記憶手段４に記憶された詳細情報７から、現在の検索条件情報５、表示項目情報６により当該詳細情報を選別し、当該詳細情報を１ページに付き１００件まで図５に示す当該データ表示フィールド１０にインタラクティブに表示する（Ｓ２）。
【図面の簡単な説明】
【図１】図１は、本発明のグラフィカル多軸検索・比較システムを示した概略図。
【図２】図２は、本発明に用いる端末手段を示した図。
【図３】図３は、本発明の研修多軸検索・比較提供方法のフローチャート。
【図４】図４は、本発明のグラフィカル多軸検索・比較システムの実施形態を示した図。
【図５】図５は、本発明の研修多軸検索・比較システムの通信手段のディスプレイ・スクリーン上に表示したトップページの図。
【符号の説明】
１…ネットワーク
２…端末手段
３…サーバ
４…記憶手段（データベース）
５…検索条件情報
６…表示項目情報
７…詳細情報
８…検索条件パネルフィールド
９…表示項目選択肢フィールド
１０…当該データ表示フィールド
【図１】
2008165668.tif 000003
【図２】
2008165668.tif 000004
【図３】
2008165668.tif 000005
【図４】
2008165668.tif 000006
【図５】
2008165668.tif 000007